(57)【特許請求の範囲】
【請求項１】
路面の縦断勾配に沿って軽量盛土材が段差をつけて積み上げられており、単位コンクリート床版が軽量盛土材の複数の段差部に亘るようにして形成されており、各単位コンクリート床版は路面の縦断勾配に沿って縁切り状態で連続して形成されており、各単位コンクリート床版のそれぞれには支持地盤に埋設した少なくとも２本のアンカーが連結されていることを特徴とする軽量盛土工法における縦断勾配部でのコンクリート床版の設置構造。
【発明の詳細な説明】
【０００１】
【発明の属する技術分野】
本発明は、軽量盛土工法における縦断勾配部でのコンクリート床版の設置構造に関する。
【０００２】
【従来の技術】
軟弱地盤や地滑り地などでの盛土工法の一つとしてＥＰＳ工法のような軽量盛土材を用いた軽量盛土工法が知られている。この工法は、地盤改良にかかる経費の節減、工期の短縮、耐震性の向上などにおいて優れた効果を発揮することから、種々の土木工事において広く採用されている。図４〜図６は、軽量盛土工法を道路の拡幅工事に用いる場合の一例を示しており、この例では、軽量盛土材として発泡スチロールブロック（ＥＰＳブロック）を使用している。
【０００３】
図示のように、頂部に既存の道路１が作られている既存地山の斜面側にＨ形鋼２を建て込み、Ｈ形鋼２と支持地盤３との間にＥＰＳブロック４を積み上げて所定高さの盛土部を形成する。その後、積み上げたＥＰＳブロック４の全面にわたり所定厚さにコンクリートを打設し、コンクリート床版５を形成する。そして、コンクリート床版５およびＥＰＳブロック４が水平方向の位置ズレを起こさないように、支持地盤３に埋設固定したアンカー６の先端をコンクリート床版５に一体形成したアンカーヘッド５ａに固定する。それにより、コンクリート床版５は既存治山側に一体的に固定され、地震などにより支持地盤３が動いたときにも、コンクリート床版５およびＥＰＳブロック４が支持地盤３から剥離すること、すなわち滑動や転倒することを回避している。必要に応じＨ形鋼２を利用して軽量コンクリート板のような壁面保護材７が取り付けられととともに、仕上げ施工としての路盤８やアスファルト９などが施工される。
【０００４】
図５は、路面が縦断勾配を持つ施工現場における路線方向での断面図である。この場合には、支持地盤３が縦断勾配に沿って段差状に整地され、その上にＥＰＳブロック４が縦断勾配の大小に応じて所要の段差を持つように積み上げられる。図示の例示では、Ｈ形鋼２の２本分の幅Ｗを一つの単位とし、各単位幅Ｗ毎に上面が水平面となるようにＥＰＳブロック４が積み上げられ、右上がりの階段状勾配を作り上げている。
【０００５】
そのようにして階段状にＥＰＳブロック４を積み上げた後、各単位幅Ｗ毎にコンクリートが打設され、コンクリート床版５が作られる。路線方向に並ぶ各コンクリート床版５は互いに縁切り状態にある。また、各コンクリート床版５には同様にしてアンカー６が固定される。図６は、図５に示した施工現場の平面図であり、通常、各コンクリート床版５には対称となる位置に２本のアンカー６ａ，６ｂが対として固定される。これは、一本のアンカー６のみでコンクリート床版５を固定すると、地震などにより支持地盤３が設計値以上の動きをしたときに、コンクリート床版５がアンカー６との固定点を中心として回動するなど不規則な挙動を起こすことが予想され、このような事態を回避して施工後の高い安全性を確保するために、縁切りされた一枚のコンクリート床版を２本以上のアンカーで固定することはどうしても必要となる。
【０００６】
【発明が解決しようとする課題】
前記のように、縦断勾配を持つ施工現場では、縦断勾配の大小に応じた所定幅Ｗの水平面を持つようにしてＥＰＳブロックが積み上げられ、その幅Ｗ毎にコンクリート床版が互いに縁切り状態で打設形成される。従って、縦断勾配が大きい場合には、コンクリート床版の路線方向幅は必然的に小さいものとなる。一方、コンクリート床版を２本以上のアンカーで固定することは安全性確保の点から必須であり、縦断勾配を持つ施工現場では、地中に埋設固定するアンカーの間隔Ｓが、平坦路面での施工現場での間隔（すなわち、平坦路面に形成されるコンクリート床版を安定に固定するのに通常必要とされるアンカーの間隔）よりも狭いものとならざるを得ない。そのために、軽量盛土工法において、縦断勾配部では、平坦面部よりも多くの本数のアンカーを埋設固定することが必要となり、施工コストが平坦部よりも高くならざるを得ないのが現状である。
【０００７】
本発明は上記の事情に鑑みてなされたものであり、縦断勾配部の施工現場におけるアンカーの埋設固定にかかるコストを平坦路面でのコストとほぼ同じにすることができ、それにより、軽量盛土工法全体としての施工コストを低減することのできる、軽量盛土工法における縦断勾配部でのコンクリート床版の新規な設置構造を提供することを目的とする。
【０００８】
【課題を解決するための手段】
上記の課題を解決するために、本発明による軽量盛土工法における縦断勾配部でのコンクリート床版の設置構造では、路面の縦断勾配に沿って軽量盛土材が段差をつけて積み上げられており、単位コンクリート床版が軽量盛土材の複数の段差部に亘るようにして形成されており、各単位コンクリート床版は路面の縦断勾配に沿って縁切り状態で連続して形成されており、各単位コンクリート床版のそれぞれにはアンカーヘッド部を介して支持地盤に埋設した少なくとも２本のアンカーが連結されていることを特徴とする。
【０００９】
本発明によれば、単位コンクリート床版は、路面の縦断勾配に沿って段差をつけて積み上げられる軽量盛土材の複数の段差部に亘るようにして形成されるので、単位コンクリート床版の路線方向の幅を、路面の縦断勾配の大小に直接左右されることなく、所要の幅に設定することが可能となる。それにより、単位コンクリート床版の大きさを所要の大きさのものとすることが可能となり、結果として、単位コンクリート床版を固定する少なくとも２本のアンカーの間隔を、平坦路面部でのアンカーの間隔とほぼ同じとすることができる。それにより、縦断勾配部および平坦面部の双方において、アンカーの埋設固定にかかるコストはほぼ同じものとなり、軽量盛土工法全体としての施工コストは低減する。
【００１０】
なお、本発明のコンクリート床版の設置構造では、施工時および施工後に、コンクリート床版の上にＥＰＳブロックのような軽量盛土材が階段状に積み上げられた領域が生じる。しかし、ＥＰＳブロックのような軽量盛土材は、相互間およびコンクリート床版との間で所要の摩擦抵抗を有しており十分に自立性があるので、その上に、仕上げ施工としての路盤やアスファルトなどを積み上げても、何の支障も生じない。
【００１１】
【発明の実施の形態】
以下、図面を参照しながら本発明の一実施の形態を説明する。なお、本発明において、コンクリート床版の位置と大きさ、およびその上に積み上げられる軽量盛土材の構成を除いて、他の構成は、図４〜図６に基づき説明した従来のものと同じであってよい。従って、以下の説明では、本発明による特徴的な事項を中心に説明する。
【００１２】
図１〜図３は、本発明にかかる軽量盛土工法における縦断勾配部でのコンクリート床版の設置構造を適用した盛土工事部を示しており、図１は、路線に直交する方向の断面を示し、従来工法での図４に相当する。図２は、同じ盛土工事部での路線方向での断面図であり、従来工法での図５に相当する。また、図３は、図２に示した施工現場の平面図であり、従来工法での図６に相当する。
【００１３】
前記したように、既存地山の斜面側にＨ形鋼２が建て込まれ、必要に応じてそれを利用して軽量コンクリート板のような壁面保護材７が取り付けられ、Ｈ形鋼２と支持地盤３との間には、軽量盛土材としてのＥＰＳブロック４が積み上げられる。図示の例において、Ｈ形鋼は２ａ〜２ｉまで等間隔で９本打ち込まれており、各Ｈ形鋼の間に壁面保護材を配置している。なお、図１〜図３の例において、路面の縦断勾配は図４〜図６に示したものと同じとしており、したがって、各Ｈ形鋼の建て込み間隔も同じである。
【００１４】
最初に、Ｈ形鋼２ａ〜２ｉの路線距離に、縦断勾配下端の基準レベルＬ１の高さまでＥＰＳブロック４を積み上げて平坦面を形成する。その状態で、左端のＨ形鋼２ａから５本目のＨ形鋼２ｅの間に積み上げられたＥＰＳブロック４の上面全面にコンクリートを打設して第１の単位コンクリート床版５１を形成する。必要に応じて第１の単位コンクリート床版５１に連続して中間床版（不図示）を形成してもよいが、もちろん省略可能である。
【００１５】
次に、第１の単位コンクリート床版５１における３本目のＨ形鋼２ｃと５本目のＨ形鋼２ｅとの間に位置する領域に、段差１段分の高さにＥＰＳブロック４ａを積み上げ、その上に、必要に応じて上部床版５１ａを配置する。さらに、５本目のＨ形鋼２ｅと９本目のＨ形鋼２ｉの間には、すでに積み上げられているＥＰＳブロック４の上にさらに段差２段分の高さにＥＰＳブロック４ｂを積み上げる。
【００１６】
次に、５本目のＨ形鋼２ｅと９本目のＨ形鋼２ｉの間に積み上げたＥＰＳブロック４ｂの上面全面にコンクリートを打設して第２の単位コンクリート床版５２を形成する。そして、該第２の単位コンクリート床版５２における７番目のＨ形鋼２ｇと９本目のＨ形鋼２ｉとの間の領域には、段差１段分の高さにＥＰＳブロック４ｃを積み上げ、その上に、必要に応じて、上部床版５２ａを配置する。以下、図示しないが、必要に応じて、所要のＨ型鋼の打ち込みを路線方向に行い、かつ、同じ作業を縦断勾配の上端の基準レベルまで繰り返す。その後、従来工法に従い、コンクリート床版５１，５２およびその上に積み上げられたＥＰＳブロック４ａ，４ｃ（あるいは、上部床版５１ａ，５２ａ）の上に、仕上げ施工としての路盤８やアスファルト９などを積み上げる。
【００１７】
図１〜図３と図４〜図６とを比較すればわかるように、同じ縦断勾配での施工でありながら、本発明による施工態様を採用することにより、単位コンクリート床版５１、５２の路線方向の幅を、従来工法による場合よりも、この例では２倍の大きさとすることができる。したがって、例えば、Ｈ形鋼２ａ〜２ｉの路線長において、従来法では４枚のコンクリート床版を縁切り状態で配置することが必要であり、そのために、距離Ｓの間隔で、２本（６ａ，６ｂ）×４枚＝８本のアンカーを地中に埋設固定すること必要であったものが、本発明によれば、距離２Ｓの間隔で、２本（６Ａ，６Ｂ）×２枚＝４本のアンカーで所要に固定を行うことが可能となり、アンカーの本数を少なくすることができることから、アンカーの埋設固定にかかる費用を半減することができる。
【００１８】
なお、前記のように、従来工法における縦断勾配領域でのアンカーの設置は、コンクリート床版の不規則な挙動を抑制することを優先して行われており、アンカーの強度の面からは、過剰設計となっている。本発明の設置構造により縦断勾配部でアンカー本数が低減するとしても、それにより、アンカー強度が基準値を下回るようなことはない。また、前記したように、ＥＰＳブロックは相互間およびコンクリート床版との間で所要の摩擦抵抗を有しており、十分に自立性があるので、コンクリート床版５１、５２の上に積み上げたＥＰＳブロック４ａ，４ｃはそれ自身で安定しており、その上に仕上げ施工として路盤やアスファルトなどを積み上げてもなんの支障も生じない。
【００１９】
さらに、図示の例では、単位コンクリート床版５１，５２の登り勾配側半分の領域に１段の高さでＥＰＳブロックを積み上げるようにしているが、前記のように、ＥＰＳブロックは十分に自立性を備えているので、１枚の単位コンクリート床版の上に、一段以上の階段状の登り勾配を形成するようにＥＰＳブロックを積み上げることもできる。この態様は、縦断勾配がより急になった場合での施工態様として有効であり、そのようにすることにより、縦断勾配の緩急に無関係に、常に、所要の大きさのコンクリート床版を縁切り状態で形成することが可能となり、アンカー間隔も平坦面でのコンクリート床版に対するアンカー間隔と同じ間隔とすることができるので、アンカーにかかる施工費の増大は抑制される。
【００２０】
なお、上記の実施の形態では、谷側にＨ形鋼を建て込んた状態で施工するようにしているが、ＥＰＳブロックは相互間およびコンクリート床版との間で所要の摩擦抵抗を有していることは前記のとおりであり、十分に自立性があるので、Ｈ形鋼を建て込むことなくＥＰＳブロックの積み上げ施工を行うことも可能である。なお、その際には、耐候性を出すために、ＥＰＳブロックの側面にモルタルなどの吹き付けが行われる。
【００２１】
【発明の効果】
軽量盛土工法において、本発明による縦断勾配部でのコンクリート床版の設置構造を採用することにより、所要の大きさのコンクリート床版を縁切り状態で形成することが可能となり、それにより、アンカー間隔を平坦面でのコンクリート床版に対するアンカー間隔と同じ間隔とすることができる。結果として、縦断勾配部でのアンカー本数を少なくすることができ、アンカーにかかる施工費を低減することが可能となる。
【図面の簡単な説明】
【図１】  本発明による盛土工事部での路線に直交する方向の概略断面図。
【図２】  図１の盛土工事部での路線方向での概略断面図。
【図３】  図１の盛土工事部でのコンクリート床版とアンカーとの関係を説明する概略平面図。
【図４】  従来工法での盛土工事部での路線に直交する方向の概略断面図。
【図５】  図４の盛土工事部での路線方向での概略断面図。
【図６】  図４の盛土工事部でのコンクリート床版とアンカーとの関係を説明する概略平面図。
【符号の説明】
２，２ａ〜２ｉ…Ｈ形鋼、３…支持地盤、４、４ａ〜４ｃ…軽量盛土材としての樹脂発泡体、５、５１、５２…単位コンクリート床版、６…アンカー
【図１】
0003751848.tif 000002
【図２】
0003751848.tif 000003
【図３】
0003751848.tif 000004
【図４】
0003751848.tif 000005
【図５】
0003751848.tif 000006
【図６】
0003751848.tif 000007